(57)【要約】【課題】部品点数の増加をせずにスリット形成羽根が仕切板にぶつかってかみ込むことを防止したフォーカルプレンシャッタを提供すること。【解決手段】開口部を有したシャッタ地板と、光通過口を有した補助地板と、前記シャッタ地板と前記補助地板の間に配置されており、光通過口を有した中間地板と、前記シャッタ地板と前記補助地板との間を前記中間地板で仕切って構成した二つの羽根室内に個別に配置されている先羽根群、および後羽根群と、を備え、前記後羽根群が収納される羽根室は、前記先羽根群が収納される羽根室よりも広いことを特徴とする。【選択図】図４
2017037275.tif 000002
【特許請求の範囲】
【請求項１】
開口部を有したシャッタ地板と、
光通過口を有した補助地板と、
前記シャッタ地板と前記補助地板の間に配置されており、光通過口を有した中間地板と、
前記シャッタ地板と前記補助地板との間を前記中間地板で仕切って構成した二つの羽根室内に個別に配置されている先羽根群、および後羽根群と、を備え、
前記後羽根群が収納される羽根室は、前記先羽根群が収納される羽根室よりも広いことを特徴とするフォーカルプレンシャッタ。
【請求項２】
前記中間地板は、少なくとも開口部が、前記先羽根群が収納される羽根室に向かって、クランク状に曲げが形成されていることを特徴とする請求項１に記載のフォーカルプレンシャッタ
【請求項３】
請求項１または２に記載のフォーカルプレンシャッタを備えたことを特徴とするカメラ。
【発明の詳細な説明】
【技術分野】
【０００１】
本発明は、デジタルスチルカメラに用いられるシャッタ装置、特にフォーカルプレンシャッタに関する。
【背景技術】
【０００２】
デジタル一眼レフカメラに採用されているフォーカルプレンシャッタ装置は、一般に、略中央部に露光用の開口部を有し、相互に取り付けられた二つの地板（通常、一方の地板をシャッタ地板と称しており、他方の地板はカバー板，補助地板などと称されている）の間に、先羽根ユニットと後羽根ユニットとを配置している。各羽根ユニットは、一端部を一方の地板に枢着されている少なくとも二つのアームに、それらの他端部に向けて複数枚の羽根(羽根群)を順次枢支した構成をしており、最先端部に枢支された羽根がスリット形成羽根となっている。そして、各羽根ユニットのアームの一つには、枢着部に近い位置に孔が形成されている。
【０００３】
また、二つの地板の間には、中間地板と称される板部材を設け、先羽根ユニットと後羽根ユニットの作動領域を分離し、両者が作動上干渉しないようにしている。この中間地板は、両羽根ユニットの走行方向に略直交する１対の縁部を、ほぼＶ字形状に広がる傾斜縁と直線縁とで形成している。特許文献１には、中間地板として、後羽根群の走行方向にほぼ直交する縁部を先羽根群側に曲げることにより後羽根群と中間地板との衝突を防止し、先羽根群と中間地板との間に薄板部材を挟むことにより上記曲げ部と先羽根群との衝突を防止した例が記載されている。
【先行技術文献】
【特許文献】
【０００４】
【特許文献１】特開平７−２１８９８０号公報
【発明の概要】
【発明が解決しようとする課題】
【０００５】
しかしながら、上述の特許文献１に開示された従来技術では、後スリット形成羽根が中間地板にぶつかってかみ込むことを防止するには好ましいが、部品点数の増加を招いてしまうという問題点がある。
【０００６】
本発明は、仕切板の配置・構成を変えることにより、部品点数の増加をせずにスリット形成羽根が中間地板にぶつかってかみ込むことを防止することのできるフォーカルプレンシャッタを提供する。
【課題を解決するための手段】
【０００７】
上記課題を解決するために、本発明のシャッタ装置は、本発明は、開口部を有したシャッタ地板、および光通過口を有した補助地板と、上記シャッタ地板と上記補助地板の間に配置されており、光通過口を有した中間地板と、上記シャッタ地板と上記補助地板との間を上記中間地板で仕切って構成した二つの羽根室内に個別に配置されている先羽根群、および後羽根群と、を備えており、前記後羽根群が収納される羽根室は、前記先羽根群が収納される羽根室よりも広いことを特徴とする。
【発明の効果】
【０００８】
本発明によれば、部品点数の増加をせずにスリット形成羽根が中間地板にぶつかってかみ込むことを防止したフォーカルプレンシャッタを提供することができる。
【図面の簡単な説明】
【０００９】
【図１】本発明の実施例であるフォーカルプレンシャッタの分解斜視図。
【図２】実施例のフォーカルプレンシャッタ（露光終了状態）を被写体側から見た図。
【図３】実施例のフォーカルプレンシャッタ（露光開始状態）を被写体側から見た図。
【図４】実施例のフォーカルプレンシャッタの羽根室の断面図。
【図５】実施例のフォーカルプレンシャッタに用いられる中間地板の斜視図。
【図６】実施例のフォーカルプレンシャッタを備えたカメラを示す図。
【発明を実施するための形態】
【００１０】
以下に、本発明の好ましい実施の形態を、添付の図面に基づいて詳細に説明する。まず図６には、本発明の実施例であるフォーカルプレンシャッタを備えたデジタルスチルカメラを示している。このデジタルスチルカメラは、撮影レンズの交換が可能な一眼レフカメラであってもよいし、撮影レンズが一体的に設けられて交換ができないレンズ一体型カメラであってもよい。
【００１１】
図６において、１０２は撮影レンズであり、不図示の被写体からの光に光学像である被写体像を形成させる。１０３は主ミラー（ハーフミラー）であり、図中に点線で示したダウン位置にて撮影レンズ１０２からの光の一部を反射し、他の一部を透過させる。また、主ミラー１０３は、図中に実線で示したアップ位置にて撮影レンズ１０２からの光に対して退避する。ダウン位置にある主ミラー１０３によって反射された光は、ペンタプリズム１０５を介して接眼レンズ１０６に導かれる。ユーザは接眼レンズ１０６を通して被写体像を観察することができる。また、１０４は副ミラーであり図中に点線で示したダウン位置にて撮影レンズ１０２からの光の一部を反射し、ＡＦモジュール１０７に導き、フォーカス制御に用いる。
【００１２】
１０８は撮像素子であり、ＣＣＤセンサやＣＭＯＳセンサ等により構成された光電変換素子である。１０１はシャッタ装置としてのフォーカルプレンシャッタ（以下、単にシャッタという）であり、それぞれ複数のシャッタ羽根により構成される先羽根群と後羽根群を走行させて撮像素子１０８の露光量を制御する。先羽根群と後羽根群のそれぞれは、複数のシャッタ羽根の重畳および展開によってシャッタ開口（光通過口）を開いたり閉じたりすることができる。
【００１３】
ユーザによって不図示のレリーズスイッチが操作され、撮影が指示されると、制御部は主ミラー１０３、サブミラー１０４をダウン位置からアップ位置に移動させた後、先羽根群の重畳状態に向けた走行を開始させ、それに所定時間遅れて後羽根群の展開状態に向けた走行を開始させる。走行中は先羽根群と後羽根群との間にスリットが形成され、該スリットを通過した光により撮像素子１０８が露光される。撮像素子１０８は、スリットを通過した光により形成された被写体像を光電変換し、不図示の制御部は該撮像素子１０８からの出力信号を用いて撮影画像データを生成する。制御部は、撮影画像データを不図示の記録媒体（半導体メモリ等）に記録したり、背面モニタに所定時間の間表示したりする。
【００１４】
図１〜図５には、シャッタ１０１の構成を詳しく示している。ベース部材としてのシャッタ地板１は、そのほぼ中央に、長方形状に形成されたシャッタ開口部（光通過口）１ａを有する。また、シャッタ地板１の背面側（撮像素子側）には、中間地板３と補助地板４とがこの順でかつ所定の間隔を空けて取り付けられている。シャッタ地板１と中間地板３との間には、後羽根群２０を構成する複数のシャッタ羽根を移動可能に収納する後羽根室が形成されている。また、中間地板３と補助地板４との間には、先羽根群１０を構成する複数のシャッタ羽根を移動可能に収納する先羽根室が形成されている。なお、中間地板３と補助地板４にもシャッタ開口部１ａに対応する光通過口３ａ、４ａが形成されている。また、本実施例の中間地板３は、クランク状の曲げが形成されており、光通過口部３ａとシャッタ開口部１ａとの間隔（L１）が、補助地板の光通過口４ａとの間隔（L２）よりも広くなるようになっている（図５）。
【００１５】
シャッタ地板１におけるシャッタ開口部１ａの側方には、２つの円弧形状の長孔部１ｂ，１ｃが形成されている。また、シャッタ地板１の表面側（被写体側）には、軸部１ｄ，１ｅが設けられている。一方、シャッタ地板１の背面側には、軸部１ｆ，１ｇが設けられており、さらに表面側に設けられた軸部１ｄ，１ｅは背面側にも突出して背面側の軸部としても利用される。表面側の軸部１ｄ、１ｅの先端には、シャッタ地板１と平行に支持板２が取り付けられている。該支持板におけるシャッタ地板側には、先羽根用電磁石３１と後羽根用電磁石４１が取り付けられている。
【００１６】
以下、先羽根用電磁石３１について説明するが、後羽根用電磁石４１も同じ構成である。先羽根用電磁石３１は、鉄芯３１ａ、ボビン３１ｂ、コイル３１ｃ、端子ピン３１ｄ、３１ｅとを有している。鉄芯３１ａは、２つの脚部を有する略Ｕ字形状を有している。また、鉄芯の２つの脚部のうちの一方の脚部には、コイル３１ｃが巻回されたボビン３１ｂが、設けられておりコイル３１ｃの両端のそれぞれに接続された各端子ピン３１ｄ、ｅがボビン３１ｂの表面に突設されている。各端子ピン３１ｄ、ｅの間に電圧が印加されると、コイル３１ｃは、磁束を発生する。すなわち、コイル３１ｃ等は電磁石として機能する。
【００１７】
シャッタ地板１の表面側において、軸部１ｄ、１ｅには、それぞれ先羽根駆動部材３３および後羽根駆動部材４３が回転可能に取り付けられている。
【００１８】
先羽根駆動部材３３は、その背面側に先羽根駆動ピン３４を有する。該先羽根駆動ピン３４の先端部は長孔部１ｂを貫通してシャッタ地板１の背面側に突出している。また、表面側には先羽根用圧縮ばね３６を介して、先羽根用鉄片部材３２が先羽根駆動部材３３の回転方向にたいして相対移動可能に取り付けられている。また、先羽根駆動部材３３は、先羽根用ラチェット３７との間にて付勢力を発生する先羽根用駆動ばね３５によって図２における時計回り方向に付勢されている。
【００１９】
後羽根駆動部材４３は、その背面側に後羽根駆動ピン４４を有する。該後羽根駆動ピン４４の先端部は長孔部１ｃを貫通してシャッタ地板１の背面側に突出している。また、表面側には後羽根用圧縮ばね４６を介して、後羽根用鉄片部材４２が後羽根駆動部材４３の回転方向にたいして相対移動可能に取り付けられている。また、後羽根駆動部材４３は、後羽根用ラチェット４７との間にて付勢力を発生する後羽根用駆動ばね４５によって図２における時計回り方向に付勢されている。
【００２０】
次に、シャッタ地板１の背面側に配置された先羽根ユニットと後羽根ユニットの構成を説明する。先羽根ユニットは、シャッタ地板１の背面側において、軸部１ｄに回転可能に取り付けられたアーム１５と、軸部１ｆに回転可能に取り付けられたアーム１６と、これらアーム１５，１６に、その先端に向かって順に、かつそれぞれ回転可能に取り付けられた（連結された）、先羽根群１０を構成する４つのシャッタ羽根（以下、先シャッタ羽根という）１１、１２、１３、１４とにより構成されている。先シャッタ羽根１１が、後羽根群２０との間にスリットを形成するスリット形成羽根である。アーム１５に形成された孔部には、先羽根駆動部材３３の先羽根駆動ピン３４の先端部が挿入されている。これにより、先羽根駆動部材３３とアーム１５とが一体で回転するよう連結される。また、アーム１５，１６と先羽根群１０とにより、先羽根駆動部材３３の回転に伴い先羽根群１０を上下方向に平行移動させる平行リンク機構が構成される。
【００２１】
後羽根ユニットは、シャッタ地板１の背面側において、軸部１ｅに回転可能に取り付けられたアーム２５と、軸部１ｇに回転可能に取り付けられたアーム２６と、それらの先端部に向かって順に、かつそれぞれ回転可能に取り付けられた、後羽根群２０を構成するシャッタ羽根（以下、後羽根シャッタ羽根という）２１、２２、２３、２４とにより構成されている。後シャッタ羽根２１が、先シャッタ羽根１１との間にスリットを形成するスリット形成羽根である。アーム２５に形成された孔部には、後羽根駆動部材４３の後羽根駆動ピン４４の先端部が挿入されている。これにより、後羽根駆動部材４３とアーム２５とが一体で回転するよう連結される。
【００２２】
後羽根駆動部材４３と、アーム２５，２６と、後羽根群２０とにより、後羽根駆動部材４３の回転に伴い後羽根群２０を上下方向に平行移動させる平行リンク機構が構成される。
【００２３】
次に、図２〜図４を用いて、本実施例のシャッタ１０１の動作について説明する。図２は、露光作動終了直後の状態を示している。従って、先羽根駆動部材３３の先羽根駆動ピン３４は、その根元部が長孔１ｂの下端部に当接している。そして、このとき、先羽根群１０は重畳されて開口部１ａの下方位置に格納されている。また、後羽根駆動部材４３の後羽根駆動ピン４４は、その根元部が長孔１ｃの下端部に当接している。そして、後羽根群２０は、展開状態となって開口部１ａを覆っている。本実施例のセット作動は、このような図２の状態において、不図示のセット部材が作動することによっておこなわれる。即ち、不図示のセット部材は、図示していないカメラ本体側のセット駆動部材によって作動され、先ず、先羽根用駆動ばね３５の付勢力に抗して先羽根駆動部材３３を反時計方向へ回転させていく。従って、先羽根群１０は、隣接する羽根同士の重なり量を減じながら上方へ移動していくことになる。その後、先スリット形成羽根１１と、後スリット形成羽根２１との重なり量が所定量に達すると、不図示のセット部材は、後羽根駆動部材４３を回転し始める。そのため、後羽根駆動部材４３は、後羽根用駆動ばね４５の付勢力に抗して反時計方向へ回転させられていく。従って、後羽根群２０は、隣接する羽根同士の重なり量を増しながら上方へ移動していく。
【００２４】
このようにして、先羽根群１０および後羽根群２０のセット作動は続けられていき、先羽根群１０が展開され、開口部１ａを完全に覆った段階になり、各鉄片部材３２、４２は、相前後して各電磁石３１、４１に接触し、それ以後は、各圧縮ばね３６．４６を圧縮させながら作動する。そして、その直後に、不図示のセット部材の回転が停止され、セット作動が終了する。セット部材８は、次の撮影が行われるまで、この状態を維持させられる。
【００２５】
次の撮影に際して、カメラのレリーズボタンが押されると、先羽根用電磁石３１、後羽根用電磁石４１に通電がおこなわれる。このとき、各鉄片部材３２、４２と、各電磁石３１、４１の間にそれぞれ磁気的吸着力が発生する。
【００２６】
次に、不図示のセット部材に対する不図示のカメラ本体側のセット駆動部材による押圧力が解かれるため、セット部材８が初期位置へ復帰する。それによって、先羽根駆動部材３３、後羽根駆動部材４３への押圧力が解かれ、各駆動ばね３５、４５と各圧縮ばね３６、４６の付勢力によって時計方向へ回転させられる。その露光開始直前の状態が図３に示されている。
【００２７】
そして、先羽根用電磁石３１への通電が断たれると先羽根用電磁石３１と先羽根用鉄片部材３２との間に生じている吸着力が低下し、先羽根用駆動ばね３５から発生する付勢力よりも小さくなり、先羽根駆動部材３３は時計回り方向に急速に回転し、先羽根群１０に露光作動をおこなわせる。先羽根用電磁石３１にへの通電が断たれた所定時間後、後羽根用電磁石４１への通電も断たれて、先羽根群１０と同様に後羽根群２０も露光作動をおこなう。その結果、二つのスリット形成羽根１１、２１によって形成されるスリットが、フィルムやＣＣＤなどの結像面を露光していく。
【００２８】
そして、露光作動を先に開始した先羽根群は、先羽根駆動部材３１の先羽根駆動ピン３４が長孔１ｂの下端部に当接した直後に停止する。従って、それらの停止状態においては、先羽根群１０は、重畳されて開口部１ａの下方位置に格納される。他方、遅れて露光作動を開始した後羽根群も、４枚のシャッタ羽根２１〜２４が開口部１ａを完全に覆った段階になると、後羽根駆動部材４３の後羽根駆動ピン４４が長孔１ｃの下端部に当接した直後に停止する。そして、そのようにして行なわれた露光作動の終了状態が図２に示された状態である。
【００２９】
図４は、露光作動の終了状態の羽根室の断面図である。本実施例では先羽根群の羽根室（L２）よりも後羽根群の羽根室（L１）の方が広くなるように、中間地板３が配置されている。そのため、従来の構成に対して、シャッタ地板１と補助地板４の間隔を広げることなく、後羽根スリット形成羽根２１が仕切板の光通過口３ｂにぶつかってかみ込むことを防止できる。
【００３０】
以上、本発明の好ましい実施形態について説明したが、本発明はこれらの実施形態に限定されず、その要旨の範囲内で種々の変形及び変更が可能である。
【符号の説明】
【００３１】
１                                      シャッタ地板
１ａ                                    シャッタ開口部
１ｂ, １ｃ,                              長穴
１ｄ、１ｅ，１ｆ，１ｇ                  軸
２                                      支持板
３                                      中間地板
３ａ                                    光通過口
４                                      補助地板
４ａ                                     光通過口
１０                                    先羽根群
１１、１２、１３、１４                  先シャッタ羽根
１５、１６                              アーム
２０                                    後羽根群
２１、２２、２３、２４                  後シャッタ羽根
２５、２６                              アーム
３１                                    先羽根用電磁石
３１ａ                                  鉄芯
３１ｂ                                  ボビン
３１ｃ                                  コイル
３１ｄ、ｅ                              端子ピン
３２                                    先羽根用鉄片部材
３３                                    先羽根駆動部材
３４                                    先羽根駆動ピン
３５                                    先羽根用駆動ばね
３６                                    先羽根用圧縮ばね
３７                                    先羽根用ラチェット
３１                                    後羽根用電磁石
３２                                    後羽根用鉄片部材
３３                                    後羽根駆動部材
３４                                    後羽根駆動ピン
３５                                    後羽根用駆動ばね
３６                                    後羽根用圧縮ばね
３７                                    後羽根用ラチェット
【図１】
2017037275.tif 000003
【図２】
2017037275.tif 000004
【図３】
2017037275.tif 000005
【図４】
2017037275.tif 000006
【図５】
2017037275.tif 000007
【図６】
2017037275.tif 000008